(57)【要約】【課題】ハンマーでクサビを叩いて押し込む際に誤って板ばねを叩いて板ばねを損傷させてしまうおそれのないレール締結装置を実現する。【解決手段】レール載置部を有する本体部と本体部の上面のレール載置部と隣接する位置に設けられレールと直交する向きの開口部を有するバネ保持部とを備えた床板と、前記開口部内に配設され一端がレールの下部フランジの上面に接触した状態で本体部とバネ保持部との間に取り付けられた常態において逆「へ」の字状をなす板ばね部材と、板ばね部材の他端の下面と本体部との間にレールと交差する方向に挿し込まれ、板ばね部材を変形させるクサビ部材とを設け、クサビ部材の上面には上方へ向けて突出した突出部が、また下面には下方へ向けて突出した被係止部が設けられ、本体部の上面には被係止部を係止する係止部が設けられ、被係止部が係止部と噛み合う位置までクサビ部材が挿し込まれることで係止状態になるようにした。【選択図】図１
2018003498.tif 000002
【特許請求の範囲】
【請求項１】
レールが上面に載置されるレール載置部を有する本体部と、前記本体部の上面のレール載置部と隣接する位置に設けられ前記レール載置部に載置されるレールと直交する向きの開口部を有するバネ保持部と、を備えた床板と、
前記開口部内に配設され、その一端が前記レールの下部フランジの上面に接触した状態で前記本体部と前記バネ保持部との間に取り付けられた常態において逆「へ」の字状をなす板ばね部材と、
前記板ばね部材の他端の下面と前記本体部との間に前記レールと交差する方向に挿し込まれ、前記板ばね部材を変形させるクサビ部材と、
を備え、
前記クサビ部材の後端部には上方へ向けて突出した突出部が、また下面には下方へ向けて突出した被係止部が設けられ、前記本体部の上面の前記板ばね部材の他端に対応する部位には、前記被係止部を係止する係止部が設けられており、前記被係止部が前記係止部と噛み合う位置まで前記クサビ部材が挿し込まれることで係止状態になることを特徴とするレール締結装置。
【請求項２】
前記バネ保持部の前記レール載置部側の端部には、前記レール載置部に載置されるレールの下部フランジの上方へ延びる張出部が設けられ、
前記張出部の下面には前記開口部内に配設された板ばね部材の一端が当接可能な段差部が形成され、
前記バネ保持部の前記開口部を構成する上壁面には、下へ向かって凸状をなし当該開口部内に配設された板ばね部材の上面に当接する膨出部が形成されていることを特徴とする請求項１に記載のレール締結装置。
【請求項３】
前記クサビ部材の後端部の下面には、工具を挿入可能な凹部が設けられていることを特徴とする請求項１又は２に記載のレール締結装置。
【請求項４】
前記レールは分岐器の基本レールであり、前記バネ保持部はその上面にトングレールを載置可能な摺動面を有することを特徴とする請求項１〜３の何れか一項に記載のレール締結装置。
【請求項５】
前記床板は、前記レール載置部を挟んで設けられた第１のバネ保持部と第２のバネ保持部を備え、前記第１のバネ保持部と第２のバネ保持部には、レール載置部に載置されるレールと直交する向きの開口部が形成され、
前記開口部内には、常態において逆「へ」の字状をなす板ばね部材がそれぞれ配設され、
前記第１のバネ保持部の上面にはトングレールを載置可能な摺動面が形成されている前記第１のバネ保持部の上面にはトングレールを載置可能な摺動面が形成されていることを特徴とする請求項１〜４の何れか一項に記載のレール締結装置。
【発明の詳細な説明】
【技術分野】
【０００１】
本発明は、鉄道軌道におけるレール締結装置に関し、特に分岐器におけるレール締結装置に利用して有効な技術に関する。
【背景技術】
【０００２】
従来、鉄道軌道の分岐器においては、軌道に沿って所定の間隔で配設されている枕木上に敷設された基本レールに対して、可動レールとしてのトングレールの先端側が、転轍器によって接近・離反可能に構成されている。分岐器用レール締結装置は、枕木上に固定され、基本レールを固定するとともに、載置されたトングレールを横方向へ摺動可能に支持する床板を備えている。
そして、この床板に、トングレールの摺動面を有する載置台と、ばね取付台とを設け、ばね取付台にクサビを用いて固定した板ばねが基本レールの下部フランジを圧接することで、その基本レールを床板に締結するようにしたレール締結装置に関する発明が提案されれている（特許文献１参照。）。
【０００３】
しかしながら、上記特許文献１のレール締結装置の場合、ばね取付台に板ばねを固定した後、クサビ抜け止め用のストッパーをばね取付台の側部にボルトで螺着するという面倒な作業を要するため、床板にレールを締結する際の作業性が悪いという課題があった。
そこで、板ばね部材の一端を基本レールの下部フランジに載せた状態で、その板ばね部材を床板における本体部と張出部との間に取り付けた後、板ばね部材の他端と本体部の間にクサビ部材を挿し込んで、そのクサビ部材を本体部に固定することによって、弾性変形させた板ばね部材の一端で基本レールの下部フランジを本体部に押さえ付けるように付勢して、基本レールを床板に締結するようにした分岐器用レール締結装置に関する発明が提案されている（特許文献２参照。）。
【先行技術文献】
【特許文献】
【０００４】
【特許文献１】実公平７−５０４０１号公報
【特許文献２】特開２０１５−９８７３２号公報
【発明の概要】
【発明が解決しようとする課題】
【０００５】
しかしながら、上記特許文献２の発明にあっては、板ばねの後端部の下面と床板の本体部の上面との間に、横方向すなわち板ばねと直交する方向からクサビ部材をハンマーで叩き込むように押し込んで、上方へ撓ませるように弾性変形させているため、クサビ部材をハンマーで叩く際に誤って板ばねを叩いてしまって、板ばねを損傷させるおそれがある。
また、特許文献２には、クサビ部材の下面に、床板の本体部の上面に設けた係止部と噛み合う被係止部を設けてクサビ部材の抜け止めを行うことや、板ばね部材を取り外す場合には、クサビ部材の先端部をバールなどで引き上げ、クサビ部材を挿し込んだ方向とは逆向きにクサビ部材の突縁部を例えばハンマーで叩くなどして取り外すことが記載されている。
【０００６】
しかし、特許文献２におけるクサビ部材の先端と本体部上面との隙間は小さく、バールを引っ掛けるのが困難であるという課題がある。
さらに、特許文献２に記載されている分岐器用レール締結装置においては、１つの締結器当たり２本の板ばねを設けているため、板ばねが１枚である特許文献1の分岐器用レール締結装置に比べてトータルの設置作業時間はそれほど差がないという課題がある。
【０００７】
本発明は上記のような課題に着目してなされたもので、ハンマーでクサビを叩いて押し込む際に、誤って板ばねを叩いて板ばねを損傷させてしまうおそれのないレール締結装置を提供することを目的とする。
本発明の他の目的は、板ばねと本体部との間に押し込まれているクサビを簡単に取り外すことができ、これにより板ばねの交換作業を容易かつ短時間に行うことができるレール締結装置を提供することにある。
【課題を解決するための手段】
【０００８】
上記目的を達成するため、この発明に係るレール締結装置は、
レールが上面に載置されるレール載置部を有する本体部と、前記本体部の上面のレール載置部と隣接する位置に設けられ前記レール載置部に載置されるレールと直交する向きの開口部を有するバネ保持部と、を備えた床板と、
前記開口部内に配設され、その一端が前記レールの下部フランジの上面に接触した状態で前記本体部と前記バネ保持部との間に取り付けられた常態において逆「へ」の字状をなす板ばね部材と、
前記板ばね部材の他端の下面と前記本体部との間に前記レールと交差する方向に挿し込まれ、前記板ばね部材を変形させるクサビ部材と、
を備え、
前記クサビ部材の後端部には上方へ向けて突出した突出部が、また下面には下方へ向けて突出した被係止部が設けられ、前記本体部の上面の前記板ばね部材の他端に対応する部位には、前記被係止部を係止する係止部が設けられており、前記被係止部が前記係止部と噛み合う位置まで前記クサビ部材が挿し込まれることで係止状態になるように構成した。
【０００９】
上記のような構成されたレール締結装置によれば、板ばね部材が逆「へ」の字状に形成されていることで、板ばね部材を開口部内へ差し入れ易くなる。また、板ばね部材を弾性変形させて先端部にレールへ向かう付勢力を与えるため板ばね部材後端の下面と本体部の間に挿し込むクサビ部材を叩き入れる方向が、板ばね部材の長手方向（挿入方向）と一致しているとともに、クサビ部材の後端に上方へ向けて突出した突出部が形成されているため、クサビ部材をハンマーで叩いて押し込む際に、誤って板ばね部材を叩いて板ばね部材を損傷させてしまうおそれがない。
さらに、クサビ部材の下面に下方へ向けて突出した被係止部が設けられ、本体部の上面に係止部が設けられているため、クサビ部材を被係止部が係止部に達するまで挿し込むと、被係止部が本体部の係止部に噛み合って係止されストッパーとして機能するので、クサビ部材を抜けにくくすることができる。
【００１０】
また、望ましくは、前記バネ保持部の前記レール載置部側の端部には、前記レール載置部に載置されるレールの下部フランジの上方へ延びる張出部が設けられ、
前記張出部の下面には前記開口部内に配設された板ばね部材の一端が当接可能な段差部が形成され、
前記バネ保持部の前記開口部を構成する上壁面には、下へ向かって凸状をなし当該開口部内に配設された板ばね部材の上面に当接する膨出部が形成されているようにする。
【００１１】
かかる構成によれば、バネ保持部の前端部に設けられた張出部の下面に板ばね部材の一端が当接可能な段差部が形成されているため、開口部内へ差し入れた板ばね部材の位置決めを行なうことができ、それによって最適な状態で板ばね部材を弾性変形させて、好適な押圧力でレールを床板に確実に締結することができる。
また、バネ保持部の開口部を構成する上壁面には、下へ向かって凸状をなし板ばね部材の上面に当接する膨出部が形成されているため、板ばね部材後端の下面にクサビ部材を挿し込んだ際に、板ばね部材が張出部との接触部を支点として弾性変形して先端部に強い押圧力を生じさせて確実にレールを床板に締結することができる。
【００１２】
また、望ましくは、前記クサビ部材の後端部の下面には、工具を挿入可能な凹部を設ける。
かかる構成によれば、クサビ部材に設けた凹部にバールを差し入れることができるため、汎用工具で容易にクサビ部材を取り外すことができ、それによって板ばね部材の交換作業を容易かつ短時間に実行することができるようになる。
【００１３】
ここで、前記レールは分岐器の基本レールであり、前記バネ保持部はその上面にトングレールを載置可能な摺動面を有するように構成する。
これにより、分岐器における基本レールの締結を容易に行うことができるとともに、設置作業中に誤ってハンマー等で板ばね部材を損傷させてしまうおそれのない分岐器用レール締結装置を実現することができる。
【００１４】
さらに、前記床板は、前記レール載置部を挟んで設けられた第１のバネ保持部と第２のバネ保持部を備え、前記第１のバネ保持部と第２のバネ保持部には、レール載置部に載置されるレールと直交する向きの開口部が形成され、
前記開口部内には、常態において逆「へ」の字状をなす板ばね部材がそれぞれ配設され、
前記第１のバネ保持部の上面にはトングレールを載置可能な摺動面が形成されているように構成してもよい。
このような構成によれば、分岐器において基本レールのトングレール側の締結器と反対側の締結器を、単純な形状である板ばね部材を有する締結器で構成することができるので、従来の複雑な形状のクリップを用いた締結器に比べて安価な締結器を実現することができる。
【発明の効果】
【００１５】
本発明に係るレール締結装置によれば、ハンマーでクサビを叩いて押し込む際に、誤って板ばねを叩いて板ばねを損傷させてしまうおそれがない。また、板ばねと本体部との間に押し込まれているクサビを簡単に取り外すことができ、これにより板ばねの交換作業を容易かつ短時間に行うことができるという効果がある。
【図面の簡単な説明】
【００１６】
【図１】本発明に係るレール締結装置の一実施形態を示す側面図である。
【図２】実施形態の分岐器用レール締結装置を示す斜視図である。
【図３】（Ａ），（Ｂ）は実施形態のレール締結装置を構成する床板の一例を示す平面図および側面図である。
【図４】（Ａ），（Ｂ）は実施形態のレール締結装置を構成するクサビ部材の詳細を示す側面図および背面図である。
【図５】（Ａ），（Ｂ）は実施形態のレール締結装置における板ばね部材の設定の仕方を説明するための側面図である。
【図６】実施形態のレール締結装置の変形例を示す側面図である。
【発明を実施するための形態】
【００１７】
以下、図面を参照して、本発明に係るレール締結装置を分岐器用レール締結装置に適用した場合の実施形態について詳細に説明する。図１は本実施形態の分岐器用レール締結装置１００を示す側面図、図２はその平面図である。
図１、図２に示すように、本実施形態の分岐器用レール締結装置１００の床板１０は、基本レール１が載置されるレール載置部を有するプレート状の本体部１１を備え、該本体部１１の両端がボルト９によって枕木３上に固定される。
【００１８】
上記床板１０は、例えばＳＳ４００などの剛性の高い金属を加工して形成され、上部に平坦な摺動面を有しトングレール２を横方向へ摺動可能に支持する摺動部１２が設けられている。
基本レール１は、軌道パッド７を介して床板１０のほぼ中央に設けられているレール載置部上に載置され、基本レール１の一方（図では右側）の下部フランジ１ａには、摺動部１２の下方の空間にレールと直交する方向に挿入された板ばね部材２１の先端が当接される。そして、クサビ部材２３を板ばね部材２１の後端下面に差し込むことによって、板ばね部材２１を変形させて復元力を増大させ、この板ばね部材２１の付勢力によって下部フランジ１ａが床板１０構成する本体部１１に向かって押圧される。
【００１９】
また、基本レール１の他方（図では左側）の下部フランジ１ｂには、床板１０の上面に一体的に設けられた保持ブロック１３の下方に挿入された板ばね部材３１の先端が当接され、クサビ部材３３を板ばね部材３１の後端下面に差し込むことによって、この板ばね部材３１の付勢力によって下部フランジ１ｂが押圧される。その結果、板ばね部材２１と板ばね部材３１とによって基本レール１が床板１０に弾性締結される。
【００２０】
図３（Ａ），（Ｂ）には、床板１０を構成する本体部１１の平面図および側面図が示されている。図３（Ａ）に示すように、本体部１１の４隅には、ボルト挿通孔１１ｃが形成されている。一方、枕木３（図２参照）の所定箇所には予めインサートアンカーが埋設されており、そのインサートアンカーに位置を合わせて床板１０に形成されているボルト挿通孔１１ｃにボルト９（図２参照）を挿入して、上記インサートアンカーに螺合させることで、床板１０が枕木３に固定される。
【００２１】
以下に、分岐器用レール締結装置１００における板ばね部材を備えた右側の締結器２０について詳細に説明する。
右側の締結器２０を構成するため、基本レール１が載置される床板１０のプレート状の本体部１１には、本体部１１のレール載置面よりも高い位置にトングレール２が載置される摺動面１２ａを有する上記摺動部１２が一体に設けられている。そして、摺動部１２には、摺動面１２ａの下方に相当する部位に板ばね部材２１を挿入可能なバネ挿通用開口部１２ｂが設けられているとともに、先端（基本レール側端部）から基本レール１の下部フランジ１ａの上方へ向かって張り出す張出部１２ｃが形成されている。
【００２２】
また、摺動部１２には、上記張出部１２ｃの下面に板ばね部材２１の先端が係合可能な係合段差部１２ｄが形成されているとともに、バネ挿通用開口部１２ｂの上壁面に板ばね部材２１の上面に当接してこれを下方へ向かって押圧する膨出部１２ｅが設けられている。
板ばね部材２１は、常態すなわち外力を加えない状態でほぼ逆「へ」の字状をなすように形成され、腹を上に向けるようにしてバネ挿通用開口部１２ｂ内に挿入され、折曲部の近傍に上記膨出部１２ｅが当接するように形状が設定されている。また、板ばね部材２１の後端部下面には、クサビ部材２３のヘッド部が当接する段差もしくは凹みからなる掛止部２１ａが設けられている。
【００２３】
さらに、摺動部１２の外方、本体部１１の端部上面には、クサビ部材２３の抜け止めを行うストッパー部１４Ａが設けられている。ストッパー部１４Ａは、上面にレールの長手方向から見たときに鋸歯状をなす爪１４ａを有するように形成されている。
一方、クサビ部材２３は、図４（Ａ）に示すように、その下面に、上記ストッパー部１４Ａの爪１４ａと噛み合い可能な係合部２３ａが形成されている。また、クサビ部材２３は、その上面に、上記板ばね部材２１の後端下面の掛止部２１ａに係合するヘッド部２３ｂが形成されている。さらに、クサビ部材２３は、その上面の後端部に上方へ向かって突出した突出部２３ｃが形成されているとともに、図４（Ｂ）に示すように、その下面に、後端から中央にかけてバール等の工具を差し込むことができる凹部２３ｄが形成されている。
【００２４】
左側の締結器３０は、図１に示すように、本体部１１の上面にレール載置部を挟んで摺動部１２と対向するように一体に設けられた保持ブロック１３と、該保持ブロック１３のバネ挿通用開口部１３ｂに挿入された板ばね部材３１と、該板ばね部材３１の後端部下面と本体部１１の上面との間に差し込まれて、左側の板ばね部材３１を変形させるクサビ部材３３とを備える。
そして、このクサビ部材３３に対応して本体部１１の上面には、鋸歯状をなす爪１４ｂを有するストッパー部１４Ｂが形成されている。クサビ部材３３は、締結器２０のクサビ部材２３と同一形状をなすように形成されている。
【００２５】
なお、保持ブロック１３には張出部がなく、代わりに保持ブロック１３のレール側に、板ばね部材３１の先端部を誘導する傾斜部１３ｃが設けられている。
上記のように、締結器３０は、保持ブロック１３の長さが摺動部１２の長さよりも短い点と、張出部の代わりに傾斜部１３ｃが設けられている点を除いて、他の構成は右側の締結器２０とほぼ同じであるので、詳しい説明は省略する。
【００２６】
次に、上記のような構成を有する締結器２０により基本レールを床板に締結して固定する作業手順および外し方について説明する。
締結器２０によってレールを締結する際には、先ず板ばね部材２１を、バネ挿通用開口部１２ｂのレールと反対側の開口から挿入して、図５（Ａ）に示すように、先端が張出部１２ｃの下面の係合段差部１２ｄに達するまで押し込む。このとき、板ばね部材２１は、摺動部１２の側壁に案内されて移動する。また、図１から分かるように、バネ挿通用開口部１２ｂの上壁に下方へ向かって膨らんだ膨出部１２ｅが設けられているため、板ばね部材２１が逆「へ」の字状に形成されていることで、板ばね部材２１を差し入れ易くなる。
【００２７】
続いて、図５（Ｂ）に示すように、板ばね部材２１の後端の下面（掛止部２１ａ）と本体部１１のストッパー部１４Ａとの間に、クサビ部材２３の先端を差し入れる。
その後、クサビ部材２３の後端面を、ハンマー等で、図５（Ｂ）に示す矢印Ｃの向き（レールと直交する方向）へ叩いてクサビ部材２３を押し込む。すると、板ばね部材２１は、その後端が上方へ押し上げられて変形する。そして、クサビ部材２３が所定の位置まで押し込まれると、下面の係合部２３ａが本体部１１のストッパー部１４Ａの爪１４ａと噛み合うことで、後端が下がるように回動して図１の状態となる。
【００２８】
このとき、板ばね部材２１は、摺動部１２のバネ挿通用開口部１２ｂの上壁面に設けられている膨出部１２ｅとの接触点を支点として変形するため、板ばね部材２１の先端には、てこの原理で下向きに大きな付勢力が作用し、レールの下部フランジを強い力で押圧して弾性締結することができる。
また、クサビ部材２３が所定の位置まで押し込まれると、上面のヘッド部２３ｂが、板ばね部材２１の後端下面の掛止部２１ａに係合することで、板ばね部材２１がバネ挿通用開口部１２ｂから抜ける方向へ移動するのを防止することができる。そのため、特許文献１に記載されている締結装置のように、クサビが抜けないようにするストッパーをボルトで固定するやり方に比べて作業時間を短縮することができる。
【００２９】
また、この実施形態では、クサビ部材２３の後端部に上方へ向かって突出した突出部２３ｃが形成されているため、クサビを打ち込む際に、狙いを定め易いとともに、外側から見たときに、板ばね部材２１の後端がクサビ部材２３の突出部２３ｃの背後に位置することとなる。特許文献２に記載されている締結装置には、クサビが抜けないようにするストッパーの下面にクサビ自身の抜けを防止する係合部が設けられているため、取付けは容易であるが、板ばね部材の横方向からクサビをハンマーで叩く方式であるため、誤って板ばね部材２１の側面を叩いて損傷を与えてしまうおそれがあるが、本実施形態の締結器では、誤って板ばね部材２１の後端を叩いて損傷を与えてしまうおそれがない。
【００３０】
次に、板ばね部材２１を締結器から外したい場合には、図１の状態でクサビ部材２３の後部下面に設けられている凹部２３ｄ内に、バールの先端を差し込んでクサビ部材２３の後端を持ち上げて下面の係合部２３ａとストッパー部１４Ａの爪１４ａと噛み合いを外してそのまま後方へ移動させればよい。また、バールだけでは抜けない場合には、バールによってクサビ部材２３の後端を持ち上げた状態で、突出部２３ｃをハンマーで外側方向へ叩いて移動させてやれば、クサビ部材２３を簡単に外すことができ、板ばね部材２１を引き抜くことが可能になる。
【００３１】
このように、本実施形態のレール締結装置は、クサビ部材２３の後部下面に凹部２３ｄが設けられているため、バール等の汎用の工具の先端を係合させ易く、作業性が向上するとともに、専用の工具を必要とせずに取り外し作業を行なえるという利点がある。
従って、本実施形態のレール締結装置は、バールとハンマーを用いることで、容易にクサビ部材を取り外したり差し込んだりすることができ、汎用の工具だけで板ばね部材の交換等の作業を行うことができる。
【００３２】
また、摺動部１２の張出部１２ｃの下面に板ばね部材２１の先端が係合可能な係合段差部１２ｄが形成されているため、板ばね部材２１を差し込む際に、容易に板ばね部材２１を適正な位置に設置することができる。しかも、板ばね部材が逆「へ」の字をなしているため、真っ直ぐなものよりも開口部内へ挿入し易いという利点がある。
さらに、本実施形態のレール締結装置は、板ばね部材の長さや形状（への字の角度）、支点となる膨出部の位置、材料（弾性係数）、クサビの高さ等を変えることで、締結力を自由に設計することができるという利点がある。
【００３３】
次に、図６を用いて、上記実施形態の変形例について説明する。
上記実施形態では、摺動部１２の張出部１２ｃの下面に板ばね部材２１の先端が係合可能な係合段差部１２ｄを設けているが、図６に示す変形例では、この係合段差部１２ｄは設けられていない。この変形例では、板ばね部材２１の後端をクサビ部材２３の突出部２３ｃの前面に当接させた状態でハンマー等によりクサビ部材２３の後端面を叩いて移動させることで、板ばね部材２１を差し込むように板ばね部材２１の長さが設定されている。そして、クサビ部材２３の下面の係合部２３ａとストッパー部１４Ａの爪１４ａと噛み合うと、クサビ部材２３さらには板ばね部材２１の抜け止めがなされるように構成されている。
【００３４】
従って、この変形例では、クサビ部材２３の下面の係合部２３ａとストッパー部１４Ａの爪１４ａと噛み合った際に、ちょうど板ばね部材２１の先端が適切な位置にくるように各部の寸法を設計しておくと良い。
この変形例においても、クサビ部材２３は板ばね部材２１の長手方向すなわちレールと直交す方向に挿入されるため、クサビ部材２３をハンマー等で叩くことにより板ばね部材２１を変形させつつ押し込むことができ、その際に誤って板ばね部材２１をハンマーで叩いて損傷を与えてしまうおそれもないという利点がある。
【００３５】
以上、本発明の一実施形態について説明したが、本発明は上記実施形態に限定されるものではなく、種々の変更が可能である。例えば、上記実施形態では、床板１０は、本体部１１と摺動部１２と保持ブロック１３とが一体に形成されていると説明したが、各部が溶接にて接合されたものでもよい。
また、上記実施形態では、基本レール１の左右のフランジとも板ばね部材で押圧して締結するようにした構成について説明したが、図１の基本レール１の左側（トングレールと反対側）の下部フランジ１ｂは、従来から用いられているクリップとばね抑えを備えた公知の締結器で締結するようにしても良い。
さらに、上記実施形態のレール締結器は、分岐器以外のレールの締結にも利用することができる。
【符号の説明】
【００３６】
１      基本レール
２      トングレール
３      枕木
１０    床板
１１    本体部
１２    摺動部（バネ保持部）
１２ａ  摺動面
１２ｃ  張出部
１２ｄ  係合段差部
１３    保持ブロック（バネ保持部）
１４Ａ，１４Ｂ  ストッパー部
２１，３１  板ばね部材
２３，３３  クサビ部材
２３ａ  係合部
２３ｂ  ヘッド部
２３ｃ  突出部
２３ｄ  凹部
１００  分岐器用レール締結装置
【図１】
2018003498.tif 000003
【図２】
2018003498.tif 000004
【図３】
2018003498.tif 000005
【図４】
2018003498.tif 000006
【図５】
2018003498.tif 000007
【図６】
2018003498.tif 000008